(57)【要約】      （修正有）【課題】移動または搬送中に蓋体が本体から外れてしまって、収められている遺骨がこぼれ出てしまうことを防止し、自然分解可能な材質の骨壺を提供する。【解決手段】骨壺は、ポリ乳酸からなる本体と蓋体とを備える。本体の一端が封止端であり、他端が開口端である。接合部は、開口端の外側を周回して設けられるとともに、第１の斜度を有する。蓋体は本体の開口端に結合されて、開口端を封止する。嵌合部は、蓋体の内側を周回して設けられ、第２の斜度を有している。第２の斜度は第１の斜度に対応することで、蓋体と本体とが密着接合可能となる。【選択図】図２
0003156896.tif 000002
【実用新案登録請求の範囲】
【請求項１】
骨壺であって、
一端が封止端であり、他端が開口端であって、材質がポリ乳酸である本体と、
前記本体の開口端に結合されて、前記開口端を封止するためのものである蓋体と、を備えており、
前記開口端は、前記開口端の外側を周回して設けられるとともに、第１の斜度を有する接合部を備えており、
前記蓋体は、前記蓋体の内側を周回して設けられ、前記第１の斜度に対応する第２の斜度を有している嵌合部を備えていることを特徴とする骨壺。
【請求項２】
前記蓋体が、前記蓋体の外側に配設されている把持部をさらに備えていることを特徴とする請求項１に記載の骨壺。
【請求項３】
前記把持部が前記蓋体の外側を周回して凸設されていることを特徴とする請求項２に記載の骨壺。
【請求項４】
前記本体の開口端が、前記開口端の外側を周回するとともに、前記第１の斜度から前記本体の外側に向けて延在して突出している当接部をさらに備えていることを特徴とする請求項１に記載の骨壺。
【請求項５】
前記本体および前記蓋体の外側に光沢を生じる光反射層が設けられていることを特徴とする請求項１に記載の骨壺。
【請求項６】
前記本体および前記蓋体の表面に、木目模様、玉模様または石模様を模した塗布層が設けられていることを特徴とする請求項１に記載の骨壺。
【請求項７】
前記本体の外側に凹凸のエンボス加工が施されていることを特徴とする請求項１に記載の骨壺。
【考案の詳細な説明】
【技術分野】
【０００１】
本考案は骨壺の容器に関し、しかも特に骨壺に関する。
【背景技術】
【０００２】
中国人の伝統的な思想では「死者を厚く弔い、先祖を忘れない」ということを大切にすることから、死去した親族を風水が良い好地に埋葬することで、死去した親族の魂が子孫を守るものと考えられている。中国人の伝統的な社会においては土葬が普通であった。しかし土葬は手順が煩雑で、費用もかかり、しかも広い土地が必要となる。しかも、土葬に使われた土地はしばらく時間がたたないと再利用することはできない。土地が貴重となってきている現代社会においては、土葬は時代にそぐわなくなっている。
【０００３】
したがって、近年来、例えば樹木葬、海洋葬といった新たな方式の葬儀が提唱されている。これら新たな方式の葬儀は簡単であり、費用もかからないばかりでなく、環境保護の観念も備えている。このうち樹木葬は死去した親族の遺骨を自然分解可能な骨壺に収めた後、樹木の根元に埋葬するものである。したがって、親族の死後の遺骨は大自然に帰り、新たな命を育むことになる。樹木葬に使用される土地もまもなく再利用することができる。海洋葬は親族の遺骨を海に直接撒くものである。または遺骨を予め自然分解可能な骨壺中に収めておき、骨壺を海に沈めるというものである。
【考案の概要】
【考案が解決しようとする課題】
【０００４】
葬儀については新たな変化があるものの、儀式全般および進行手順に落ち度があってはいけない。したがって、葬儀を行う前における基本的な習慣では、遺骨が収められた骨壺は各進行手順に伴って移動させることになる。もし骨壺の蓋体が密着していないと、移動中に蓋が本体から外れて遺骨がこぼれ出てしまい、遺骨が散らばってしまうと取り返しがつかなくなってしまう。
【０００５】
したがって、本考案の態様は、移動または搬送中に蓋が本体から外れてしまって、収められている遺骨がこぼれ出てしまうのを防止できる骨壺を提供する。
【課題を解決するための手段】
【０００６】
本考案の実施形態によれば、本体と、蓋体とを備えた骨壺を提供するものであり、本体の一端が封止端であり、他端が開口端であって、そして蓋体は本体の開口端に結合されて、前記開口端を封止するためのものである。開口端は、開口端の外側を周回して設けられるとともに、第１の斜度を有する接合部を備えている。蓋体は、蓋体の内側を周回して設けられ、第２の斜度を有している嵌合部を備えている。このうち、第２の斜度は第１の斜度に対応している。そして本体および蓋体の材質はポリ乳酸である。
【０００７】
蓋体は、蓋体の外側を周回して凸設されている把持部をさらに備えている。
【０００８】
また、本体の開口端は、開口端の外側を周回するとともに、第１の斜度から本体の外側に向けて延在して突出している当接部をさらに備えている。
【考案の効果】
【０００９】
このように、第１の斜度と第２の斜度とが対応することにより、本体と蓋体とが密着接合することになり、不測の事態により遺骨がこぼれ出てしまうことを防止するしかも必要なときには、把持部で蓋体を持ち上げて開けることができる。またポリ乳酸材料を採用することにより、骨壺は完全に自然分解されるので、環境への負担がなくなり、環境保護のニーズを満たすことになる。
【図面の簡単な説明】
【００１０】
本考案の上記およびその他の目的、特徴、長所および実施例がより理解しやすくするため、添付の図面の詳細な説明を下記のとおり行う。
【図１】本考案の実施例に係る骨壺の立体概略図である。
【図２】図１の立体分解図であり、しかも本体および蓋体の一部断面図である。
【図３】図１の本体および蓋体の分解断面図である。
【図４】図２の本体および蓋体の接合断面図である。
【図５】図３の一部拡大図である。
【考案を実施するための形態】
【００１１】
本考案の実施例に係る骨壺の立体概略図である図１を参照する。図１において、骨壺１００は缶状体である本体１１０と、本体１１０を封止するための蓋体１２０とを備えている。
【００１２】
図１の立体分解図であり、しかも本体１１０および蓋体１２０の一部断面図である図２を合わせて参照する。図２中において、本体１１０の一端は封止端１１２、つまり缶状体の底部であり、そして本体１１０の他端は開口端１１４である。開口端１１４は接合部１１４ａと、当接部１１４ｂとを備えている。接合部１１４ａは開口端１１４の外周を周回して設けられるとともに、第１の斜度を備えている。一方、当接部１１４ｂは前記開口端１１４の外側を周回するとともに、第１の斜度から延在する底端に配設されており、しかも接合部１１４ａと比べて、当接部１１４ｂは本体１１０の外側に突出している。
【００１３】
蓋体１２０は、蓋体１２０の内側を周回して設けられ、第２の斜度を有している嵌合部１２２を備えている。そして蓋体１２０が本体１１０を閉じたとき、接合部１１４ａおよび嵌合部１２２は第１の斜度および第２の斜度との対応により互いに密着接合することになる。
【００１４】
図１の本体１１０および蓋体１２０の分解断面図である図３を参照する。図３から分かるように、接合部１１４ａの第１の斜度は本体１１０の外側に沿って開口端１１４から封止端１１２の方向に延在するとともに、本体１１０の外側に向かって徐々に傾斜している。そして嵌合部１２２の第１の斜度は蓋体１２０の内部から嵌合部１２２の端口に向けて延在するとともに、第２の斜度が傾斜して延在する角度と、第１の斜度が傾斜して延在する角度は対応している。
【００１５】
続いて、図２の本体１１０および蓋体１２０の接合断面図である図４、および図３の一部拡大図である図５を参照する。図４および図５から分かるように、蓋体１２０の嵌合部１２２と本体１１０の接合部１１４ａとが互いに接合したとき、第１の斜度と第２の斜度とが互いに対応して、蓋体１２０が閉じられる過程において、第２の斜度を第１の斜度に沿わせることで蓋体１２０と本体１１０とをスムーズに接合させることができ、本体１１０の開口端１１４を封止することができる。蓋体１２０と本体１１０とが接合する過程において、嵌合部１２２は当接部１１４ｂにより規制されるので、外力による過度な圧力を受けて、蓋体１２０または本体１１０の変形、場合によっては損傷するということはなくなる。しかも、蓋体１２０が本体１１０に嵌合された後、第１の斜度と第２の斜度との傾斜度が互いに対応することにより、蓋体１２０が本体１１０に密着接合するので、簡単に緩んでしまうことはない。これにより、骨壺１００内に収められている遺骨が、骨壺１００の移動中に蓋体１２０が本体１１０から外れることにより、遺骨がこぼれ出てしまうということはなくなる。
【００１６】
骨壺１００を樹木葬または海洋葬に適したものとするためには、自然分解する特性は不可欠である。本実施例にて選択使用する骨壺の材質はポリ乳酸（Ｐｏｌｙｌａｃｔｉｄｅ、ＰＬＡ）である。ポリ乳酸はトウモロコシから抽出・精製した乳酸を単量体として、化学合成を経た生物分解可能な高分子材料である。ポリ乳酸は自然界において微生物により二酸化炭素と水とに分解される。よって環境を汚染することはない。
【００１７】
また、図４から分かるように、本実施例において、蓋体１２０は、蓋体１２０の外側を周回して凸設されている把持部１２４をさらに備えている。これにより、使用者が蓋体１２０を本体１１０から外したいときには、把持部１２４を本体１１０から離す方向に持ち上げることで、蓋体１２０を本体１１０から外すことができる。
【００１８】
骨壺１００の外形は需要に応じて変更することができる。例えば、骨壺１００の外側に、光沢を生じる光反射層が設けられたり、または骨壺１００の表面に木目模様、玉模様または石模様を模した塗布層が設けられたり、場合によっては骨壺の外側に凹凸のエンボス加工を施してもよい。
【００１９】
もし外形を変更したい場合には、骨壺１００の本体１１０に内側本体および外側本体を備えさせてもよい。外側本体を透明または半透明としたとき、内側本体の模様が外側本体を透過して現れることにより、骨壺１００の外観をより多様化することができる。
【００２０】
本考案の実施例を上記のように開示したが、これは本考案の保護範囲を限定するためのものではなく、当業者であれば、本考案の技術的思想および範囲を逸脱することなく、各種変更および付加を行うことができるので、本考案の保護範囲は実用新案登録請求の範囲により限定されるものを基準とすべきである。
【産業上の利用可能性】
【００２１】
本考案の実施例から分かるように、本考案は下記の長所を備えている。
１．第１の斜度と第２の斜度との傾斜度が互いに対応することにより、本体１１０が蓋体１２０に密着接合する。これにより、骨壺１００の移動中に蓋体１２０が本体１１０から外れることにより、遺骨がこぼれ出てしまうということはなくなる。
２．蓋体１２０は本体１１０に密着接合しているものの、必要時には、把持部１２４により蓋体１２０を持ち上げて開けることができる。
３．ポリ乳酸を骨壺１００の材料としており、骨壺１００は完全に自然分解されるので、環境への負担がなくなり、環境保護のニーズを満たすことになる。
４．骨壺１００は顧客のニーズに応じて各種多様な外形とするか、または骨壺上に各種凹凸のエンボス加工を施すことができる。
【符号の説明】
【００２２】
１００      骨壺
１１０      本体
１１２      封止端
１１４      開口端
１１４ａ    接合部
１１４ｂ    当接部
１２０      蓋体
１２２      嵌合部
１２４      把持部
【図１】
0003156896.tif 000003
【図２】
0003156896.tif 000004
【図３】
0003156896.tif 000005
【図４】
0003156896.tif 000006
【図５】
0003156896.tif 000007